(57)【要約】【課題】ＣＤなどの包装形態で付属される印刷物を効率よく製作する印刷物製造装置および製造方法を提供する。【解決手段】給紙ユニット２０からディジタル印刷機２１へ印刷媒体を供給し、ディジタル印刷機２１でディジタルデータに変換された印刷情報に基づきセット印刷物のディジタル印刷を行う。印刷後、ブックレットは、シートカットユニット２５、中綴じ折り機２６および三方断裁機２７を経て製本される。バックカバー、キャップは、バックカバー／キャップ製作ユニット２３において、それぞれの形状に形成される。この印刷物製造装置で複数種類のセット印刷物を、それぞれ順次所定数量ずつディジタル印刷し作製することで、異なる種類の包装形態の印刷物を少数ずつ作製する場合においても、効率よく対応できるようにする。【選択図】　　　　図３
2004034392.tif 000002
【特許請求の範囲】
【請求項１】
光ディスクに付属する印刷物を製造する印刷物製造装置において、
印刷装置に印刷媒体を供給する供給装置と、
上記印刷装置でディジタルデータによる印刷情報に基づいて印刷を行う印刷手段と、
上記印刷媒体を所定の形状および寸法に形成する形成装置と、
各装置間において上記印刷媒体の搬送を行う搬送手段とを有し、
上記印刷物が複数種類から成り、
上記複数種類の印刷物を２種類以上所定数ずつ順番に製造する
ことを特徴とする印刷物製造装置。
【請求項２】
上記印刷物がブックレット、バックカバー、キャップの内の少なくとも２つ以上であることを特徴とする請求項１に記載の印刷物製造装置。
【請求項３】
上記印刷手段がオフセット印刷機能を有することを特徴とする請求項１に記載の印刷物製造装置。
【請求項４】
上記印刷手段がディジタル印刷機能を有することを特徴とする請求項１に記載の印刷物製造装置。
【請求項５】
光ディスクに付属する印刷物を製造する印刷物製造方法において、
印刷装置に印刷媒体を供給可能な供給のステップと、
上記印刷装置でディジタルデータによる印刷情報に基づいて印刷を行う印刷のステップと、
上記印刷媒体を所定の形状および寸法に形成する形成のステップと、
各装置間において上記印刷媒体の搬送を行う搬送のステップとを有し、
上記印刷物が複数種類から成り、
上記複数種類の印刷物を２種類以上所定数ずつ順番に製造する
ことを特徴とする印刷物製造方法。
【発明の詳細な説明】
【０００１】
【発明の属する技術分野】
この発明は、印刷物製造装置および製造方法に関し、特に、コンパクトディスクなどの光ディスクケースに付属する印刷物の製造に適用して好適なものである。
【０００２】
【従来の技術】
一般的なコンパクトディスク（以下、ＣＤと称する）やディジタルビデオ（またはディジタルバーサタイル）ディスク（以下、ＤＶＤと称する）などの光ディスクは、その製造の最終工程において、光ディスクの内容などを示す印刷物をディスクケース、すなわち所謂ジュエルケースに挿入し、包装する包装工程を要する。
【０００３】
この印刷物は、主に材料として紙類が用いられ作製されている。また、通常この印刷物は、印刷製版を使用し、印刷機を用いて印刷を行うことにより作製される。これは、高速で大量の印刷による生産が可能であるためである。すなわち、印刷製版を使用した印刷は、同じ光ディスクを大量に製造する場合に有効とされている。
【０００４】
通常、この印刷物は、光ディスク製造業者とは別の印刷業者などにより製造される。光ディスク製造業者は、市場からの短納期、急激な需要および瞬間的な大量生産などの要求に応じる必要がある。このため、光ディスク製造業者は、これらの要求に余裕を持って応えられるよう十分な数量の印刷物を在庫として保管しておく傾向がある。
【０００５】
【発明が解決しようとする課題】
しかしながら、上述の従来の印刷物の製造には次のような問題があった。すなわち、異なる光ディスクを少量ずつ製造する場合、印刷製版を多数作製する必要があり、製造コストが高くなるという問題がある。
【０００６】
また近年、顧客からのＣＤ、ＤＶＤなどの製造要求は、多品目（多品種）を少数ずつ、さらに短納期で製造してもらいたいと望む傾向がある。しかしながら、上述の従来の光ディスク包装形態に付属する印刷物の製造では、印刷製版の作製時間が必要など、少数の光ディスクを短納期で製造することは困難であり、顧客の要求に応えにくいという問題がある。
【０００７】
また本来は、この光ディスク包装形態に付属する印刷物は、費用面を考慮しても、必要なときに必要な数量をすぐに用意できる環境であることが、無駄が少なく望ましい。しかしながら、上述したように、光ディスク包装形態に付属する印刷物は、通常、光ディスク製造業者とは別の印刷業者などにより製造されているため、運送、保管に係わる費用および時間などに関して無駄が多いという問題がある。
【０００８】
したがって、この発明の目的は、光ディスク包装形態に付属する印刷物を製造する場合に、短時間で費用を抑えて製造することができる印刷物製造装置および製造方法を提供することにある。
【０００９】
【課題を解決するための手段】
上記目的を達成するために、この発明の請求項１の発明は、
光ディスクに付属する印刷物を製造する印刷物製造装置において、
印刷装置に印刷媒体を供給する供給装置と、
印刷装置でディジタルデータによる印刷情報に基づいて印刷を行う印刷手段と、
印刷媒体を所定の形状および寸法に形成する形成装置と、
各装置間において印刷媒体の搬送を行う搬送手段とを有し、
印刷物が複数種類から成り、
複数種類の印刷物を２種類以上所定数ずつ順番に製造する
ことを特徴とする印刷物製造装置である。
【００１０】
この発明では、印刷媒体への印刷をディジタル印刷により印刷し、所定の形状および寸法に形成することで、光ディスクに付属する印刷物を所定数ずつ順番に作製していることにより、多種類、少数ずつの作製においても迅速に効率よく作製することができる。
【００１１】
【発明の実施の形態】
以下、この発明の実施形態について図面を参照しながら説明する。まず、この発明の一実施形態によるディスク包装形態に付属する印刷物の製造装置について説明する前に、ディスク包装形態およびそれに付属する印刷物について説明する。
【００１２】
図１は、光ディスク、例えばＣＤ用ジュエルケースの一例の図である。図１に示すジュエルケースは、透明な合成樹脂から成り、図１Ａに示す蓋部１、底部２および図１Ｂに示すトレー５により構成される。このジュエルケースは、底部２に蓋部１が覆い被さる構造を有しており、背部４の両端において、蓋部１と底部２とが固定され、蓋部１が背部４を支点に開閉可能とされている。
【００１３】
底部２には、底部２の底面とほぼ同形状の平面上のトレー５が配置される。トレー５は、その中心部にトレー中心ハブ６を有する。トレー中心ハブ６は、収納するＣＤの中心孔を支持する構造となっており、これによりＣＤはトレー５に固定され、ジュエルケース内に安定して格納される。
【００１４】
すなわち、このジュエルケースにおいて、ＣＤは、底部２に配置されたトレー５の有するトレー中心ハブ６に中心孔がはめ込まれ、蓋部１により底部２を覆った状態で包装される。
【００１５】
このような状態でジュエルケースを包装、すなわちパッケージする場合、ＣＤに加え、ＣＤの内容などが印刷された印刷物が包装されることが多い。図２は、ＣＤに付属する印刷物の一例の図である。図２Ａはブックレット７であり、図２Ｂはバックカバー９であり、図２Ｃはキャップ１１である。
【００１６】
ブックレット７は、図１で示したジュエルケースの蓋部１に設けられた４箇所の爪部３により、蓋部１の蓋面部に挿入された状態で包装され、バックカバー９は、図１で示したジュエルケースのトレー５と底部２との間に挟まれ保持された状態で包装され、キャップ１１は、図１で示したジュエルケース外側の背部４を覆うように配置された状態で包装される。
【００１７】
各形状としては、ブックレット７は、中綴じ折り部８で綴じられた、蓋部１の蓋面部に収まる小冊子形状となっている。バックカバー９は、折り曲げ部１０を有する。この折り曲げ部１０は、例えばミシン目を設けることで形成する。この折り曲げ部１０により、底面部の表紙と背表紙などを一体化して形成できる。
【００１８】
また、キャップ１１は、折り曲げ部１２を有し、この折り曲げ部１２により折り曲げられ、ジュエルケース外側の背部４に被さる形状をしている。キャップ１１は、ジュエルケース外側の背部４をケースに沿って配置されるため、ケースの幅に正確に位置させる必要がある。したがって、折り曲げ部１２にミシン目を設ければ、ジュエルケース包装工程での作業を容易とすることができる。
【００１９】
一般的に、これら印刷物の材料には紙類が用いられる。また、これら印刷物のそれぞれには、ＣＤの内容および商品としての価値を顧客に有効に知らしめる情報などが印刷されている。例えば、ブックレット７には、音楽ＣＤの場合、歌詞カードが印刷されていたり、ゲームを収録したＣＤ−ＲＯＭ（ｒｅａｄ　ｏｎｌｙ　ｍｅｍｏｒｙ）の場合、ゲームの説明が印刷されていたりする。また、例えばバックカバー９には、そのＣＤをイメージした絵柄や、タイトルなどが印刷されている。また、例えばキャップ１１には、背表紙となるよう、そのＣＤのタイトルなどが印刷されている。
【００２０】
以下、この発明の一実施形態として、これら代表的な３種類のセット印刷物、すなわちブックレット７、バックカバー９およびキャップ１１の製造装置について説明する。
【００２１】
この一実施形態では、これらセット印刷物の印刷工程において、プログラム化された印刷情報を直接印刷機に記憶させる、所謂ディジタル印刷を用いる。このディジタル印刷は印刷製版を必要としない。また、この製造装置では印刷工程終了後、直ぐに印刷物の製本形成が行われるように、印刷工程と製本工程とが１ラインに一本化された装置となっている。
【００２２】
図３および図４は、この発明の一実施形態による光ディスク印刷物用統合型印刷製本装置の一例の構成の略線図である。図３は、この発明の一実施形態による光ディスク印刷物用統合型印刷製本装置の全体図である。また、図４は、この発明の一実施形態による光ディスク印刷物用統合型印刷製本装置の側面図である。図４Ａは、図３に示すＡ方向からの側面図であり、図４Ｂは、図３に示すＢ方向からの側面図であり、図４Ｃは、Ｃ方向からの側面図である。
【００２３】
この一実施形態による光ディスク印刷物用統合型印刷製本装置は、ＣＤ用の印刷物の製造と製本の両方を行う装置であり、主に給紙ユニット２０、ディジタル印刷機２１、コーティングユニット２２、バックカバー／キャップ製作ユニット２３、第２スタック部２４、シートカットユニット２５、中綴じ折り機２６、三方断裁機２７および第１スタック部２８により構成される。
【００２４】
また、これらユニットおよび装置間は、ロール送りなどを行う搬送装置や横搬送コンベア２９、搬送コンベア３０などの搬送用のコンベアにより印刷媒体の搬送が可能に構成されている。すなわち、ブックレット７を製作する場合には、給紙ユニット２０からの印刷媒体は、ディジタル印刷機２１、コーティングユニット２２、シートカットユニット２５、中綴じ折り機２６、三方断裁機２７の順に送られ、各装置で処理された後、第１スタック部２８に格納されるように構成されている。
【００２５】
また、バックカバー９、キャップ１１を製作する場合には、給紙ユニット２０からの印刷媒体は、ディジタル印刷機２１、コーティングユニット２２、バックカバー／キャップ製作ユニット２３の順に送られ、各装置で処理された後、第２スタック部２４に格納されるように構成されている。
【００２６】
給紙ユニット２０は、印刷媒体を取り付ける箇所である。この一実施形態では、印刷媒体としてロール紙、例えばロール状に巻かれたクラフト紙を使用している。一般製品の標準的なページ数を、ブックレット７が１２ページ、バックカバー９およびキャップ１１がそれぞれ１ページであると仮定すると、印刷媒体として一般的なロール紙を用いた場合、一巻のロール紙で約５万セットの印刷物の製作が可能である。なお、ブックレット７、バックカバー９およびキャップ１１は、同一のロール紙により作製することができる。
【００２７】
ディジタル印刷機２１は、入力されたロール紙に、ディジタル印刷により所定のデザインを印刷する印刷機である。このディジタル印刷は、印刷の際に印刷製版を使用しない代わりに、印刷情報や印刷デザイン、色感および色調などの印刷データなどを使用し、コンピュータ処理により印刷を行うものである。
【００２８】
これら印刷情報および印刷データは、例えば印刷機に設置されたパーソナルコンピュータ或いは端末装置などに、フロッピー（登録商標）ディスク、ＭＯ（Ｍａｇｎｅｔ　Ｏｐｔｉｃａｌ）ディスク、ＣＤ−ＲＯＭなどの情報記録媒体を介して供給される。また他には、装置外から通信手段を利用して印刷情報や印刷データを得ることも可能である。例えば電子メールやインターネットなどから印刷情報や印刷データを得ることができる。
【００２９】
１セットの印刷物、すなわちブックレット７、バックカバー９およびキャップ１１の印刷情報および印刷データの容量は、４０〜５０メガバイト程度必要となる。したがって、装置外の通信手段を利用して印刷情報や印刷データを連続的に供給するような場合には、次のオーダーのデータ転送速度と印刷効率化を考慮し、ディジタル印刷機２１に、次のオーダーの印刷データを印刷前に予め記録できるように、例えば１００メガバイト以上などの大容量データサーバを備えるとよい。
【００３０】
また、このディジタル印刷機２１には、電子インクジェット方式、電子オフセット方式、粉末トーナーまたは液状トーナーを用いた、ディジタル（電子）印刷方式などの印刷機が使用可能である。また電子転写印刷機を使用することもできる。これらの印刷機は、市販の装置として比較的容易に印刷機メーカから入手することができる。
【００３１】
コーティングユニット２２は、供給されるロール紙の表面に、艶だしなどの表面処理を行い出力する装置である。このコーティングユニット２２は、ロール紙の表面にコーティング剤を塗布するニスコーティング機３２および塗布したコーティング剤を乾燥させるための紫外線乾燥機３１を備える。このコーティングにより、印刷面の保護と、外観上の光沢感を維持し、表面の美観を向上させることができる。
【００３２】
シートカットユニット２５は、ロール紙に印刷されたブックレット用印刷物の送り方向幅を所望の幅に切断する装置である。横搬送コンベアユニット２９は、切断されたブックレット用印刷物を横方向へ搬送し、所定のページ数に重ね合わせる装置である。
【００３３】
中綴じ折り機２６は、ブックレット用印刷物の中綴じを行う装置である。中綴じ折り機２６は、ステッチャー３３を備える。ステッチャー３３は、ブックレット７の中心の中綴じ部をホチキスなどで綴り、各ページを固定しながらその中綴じ折り部を中心に二つ折りにし、中綴じ折り部８を形成する装置である。搬送コンベア３０は、中綴じ折り機２６から三方断裁機２７へ中綴じされたブックレット用印刷物を搬送する装置である。
【００３４】
三方断裁機２７は、中綴じされたブックレット用印刷物の不要な部分を裁断し、所定の寸法に製本する装置である。スタック部２８は、製本されたブックレット７を集積する。
【００３５】
バックカバー・キャップ製作ユニット２３は、バックカバーまたはキャップを製作する装置であり、縦ミシン目ユニット３４、スリッタユニット３５およびシートカットユニット３６で構成される。縦ミシン目ユニット３４は、ロール紙に印刷されたバックカバー用印刷物またはキャップ用印刷物の必要な箇所にミシン目を設ける装置である。スリッタユニット３５は、ロール紙に印刷されたバックカバー用印刷物またはキャップ用印刷物を所定の寸法に裁断する装置である。
シートカットユニット３６は、バックカバー用印刷物またはキャップ用印刷物を最終の寸法に裁断する装置である。これらの裁断装置は、ジュエルケースの種類によりバックカバー及びキャップの寸法が微妙に違う為、シートカット位置、ミシン目位置を自動的に変更する事も可能である。スタック部２４は、作製されたバックカバー９またはキャップ１１を集積する。
【００３６】
以上のように構成された、この発明の一実施形態による光ディスク印刷物用統合型印刷製本装置において、ブックレット７は、以下のように製本される。
【００３７】
まず、ディジタル印刷機２１において、給紙ユニット２０から供給されるロール紙にブックレット７の各ページのディジタル印刷を行う。ディジタル印刷されたロール紙は、コーティングユニット２２に供給される。コーティングユニット２２では、ニスコーティング機３２において供給されたロール紙の印刷面にローラなどを使用したインクコーティングが行われ、紫外線乾燥機３１においてコーディング面が乾燥される。なお、ブックレット７は、両面に印刷およびコーティングが行われる。
【００３８】
コーティングが完了したロール紙は、次にシートカットユニット２５へ供給される。シートカットユニット２５では、ロール紙の送り方向幅が所定の幅に裁断される。裁断されたブックレット用印刷物は、横搬送コンベアユニット２９で中綴じ折り機２６へ搬送される。このとき、１ブックレット分の所定のページ数に重ね合わされる。
【００３９】
中綴じ折り機２６では、ステッチャー３３で重ね合わされたブックレット用印刷物の中心部が綴じられ、各ページを固定しながら中綴じ部が二つ折りされ、中綴じ折り部８が形成される。中綴じされたブックレット用印刷物は、次に搬送コンベア３０により三方断裁機２７へ送られる。三方断裁機２７では、ブックレット用印刷物の不要な部分が裁断され、所定の寸法のブックレット７が製本される。そして、スタック部２６に製本されたブックレット７が集積され、一時的に保管される。以上により、ブックレット７は製本される。
【００４０】
この光ディスク印刷物用統合型印刷製本装置では、同一セット用のブックレット７を所定の数量だけ製作した後、連続的にバックカバー９、キャップ１１がそれぞれ所定の数量だけ製作される。なお、ブックレット７、バックカバー９、キャップ１１の製作順は、これに限ったものではない。
【００４１】
次に、バックカバー９およびキャップ１１の作製について説明する。
【００４２】
まず、ディジタル印刷機２１において、給紙ユニット２０から供給されるロール紙にバックカバー９またはキャップ１１のディジタル印刷を行う。ディジタル印刷されたロール紙は、コーティングユニット２２に供給される。コーティングユニット２２では、ニスコーティング機３２において供給されたロール紙の印刷面にローラなどを使用したインクコーティングが行われ、紫外線乾燥機３１においてコーディング面が乾燥される。
【００４３】
コーティングが完了したロール紙は、次にバックカバー・キャップ製作ユニット２３に供給される。バックカバー・キャップ製作ユニット２３では、縦ミシン目作製機３４において、折り曲げ部１０または折り曲げ部１２の形成など、必要に応じてロール紙にミシン目が形成される。そして、スリッタユニット３５およびシートカットユニット３６において、バックカバーまたはキャップの所定の寸法に裁断される。これらの裁断装置は、ジュエルケースの種類によりバックカバー及びキャップの寸法が微妙に違う為、シートカット位置、ミシン目位置を自動的に変更する事も可能である。裁断された製品は、スタック部２４に集積され、一時的に保管される。以上により、バックカバー９またはキャップ１１は作製される。
【００４４】
以上説明したように、この一実施形態による光ディスク印刷物用統合型印刷製本装置では、印刷物の印刷にディジタル印刷機２１を使用することにより、情報記録媒体または通信手段などにより得られる印刷情報および印刷データを用いて印刷するため、光ディスクの注文数に対して印刷物の必要数を正確な数量で作製することができる。また、多品目の光ディスクを少量ずつ作製する場合においても、短納期で対応することができる。
【００４５】
また、印刷製版を作製する必要が無いため、必要なときに短時間で印刷の準備が可能となる。したがって、印刷物の作製時間が短くなり、ディスク作製時間も短縮される。これにより、製品の在庫を減らすことができ、印刷物管理担当部門などの省人化が可能となる。
【００４６】
この発明は、上述したこの発明の一実施形態等に限定されるものでは無く、この発明の要旨を逸脱しない範囲内で様々な変形や応用が可能である。例えば、上述の一実施形態においては、光ディスクの包装形態における印刷物として、ブックレット７、バックカバー９およびキャップ１１の３点を挙げているが、これに限らず、他の印刷物であってもよい。また、印刷物のセットもブックレット７、バックカバー９およびキャップ１１の３点に限らず、他の印刷物を加えた４点以上や、２点または１点だけであってもよい。
【００４７】
【発明の効果】
以上説明したように、この発明によれば、ディジタル印刷機により光ディスクケースの包装形態に付属する印刷物を印刷、作製することにより、特に多種類の光ディスクを少数づつ製造するような場合においても短時間で作製でき、セット印刷物に係わる費用を抑えることができる。
【図面の簡単な説明】
【図１】光ディスク用のジュエルケースの一例の図である。
【図２】ＣＤに付属する印刷物の一例の図である。
【図３】この発明の一実施形態による光ディスク印刷物用統合型印刷製本装置の一例の全体図である。
【図４】この発明の一実施形態による光ディスク印刷物用統合型印刷製本装置の一例の側面図である。
【符号の説明】
２０・・・給紙ユニット、２１・・・ディジタル印刷機、２３・・・バックカバー／キャップ製作ユニット、２５・・・シートカットユニット、２６・・・中綴じ折り機、２７・・・三方断裁機
【図１】
2004034392.tif 000003
【図２】
2004034392.tif 000004
【図３】
2004034392.tif 000005
【図４】
2004034392.tif 000006